(57)【要約】      （修正有）【課題】コークス炉の燃焼室の壁体および天井を解体し、さらに新たな壁体を構築するために、炉内の窯口近辺のみならず奥部で作業する作業員に、壁体やピニオンウォールの破片が落下してあたるのを防止できる崩落事故防止装置の提供。【解決手段】ピニオンウォールの上端と補修を行なう壁体の反ピニオンウォール側に位置する壁体の煙道の上端とに跨る架橋部材と、架橋部材の一端に固定されて煙道の側面に当接する壁体側位置固定部材と、架橋部材の他端に固定されてピニオンウォールの上部の側面に当接するピニオン側位置固定部材と、ピニオン側位置固定部材の下端に水平を保つように保持されて保護パネルを吊り下げる棒状のパネル垂下部材と、保護パネルの上端に取り付けられてパネル垂下部材に保護パネルとともに吊り下げられる逆Ｕ字形の掛け具と、保護パネルの下端に取り付けられるレ字形のフックと、を有する崩落事故防止装置である。【選択図】図１
2018131473.tif 000002
【特許請求の範囲】
【請求項１】
コークス炉のピニオンウォールに隣接する燃焼室の壁体と天井を補修する際に、前記ピニオンウォールの破片による崩落事故を防止する崩落事故防止装置であって、前記ピニオンウォールの上端と前記補修を行なう壁体の反ピニオンウォール側に位置する壁体の煙道の上端とに跨る架橋部材と、該架橋部材の一端に固定されて前記煙道の側面に当接する壁体側位置固定部材と、前記架橋部材の他端に固定されて前記ピニオンウォールの上部の側面に当接するピニオン側位置固定部材と、該ピニオン側位置固定部材の下端に水平を保つように保持されて保護パネルを吊り下げる棒状のパネル垂下部材と、前記保護パネルの上端に取り付けられて前記パネル垂下部材に前記保護パネルとともに吊り下げられる逆Ｕ字形の掛け具と、前記保護パネルの下端に取り付けられるレ字形のフックと、を有することを特徴とする崩落事故防止装置。
【請求項２】
コークス炉のピニオンウォールに隣接する燃焼室の壁体と天井を補修する際に、前記補修を行なう壁体に隣接する燃焼室の壁体の破片による崩落事故を防止する崩落事故防止装置であって、前記ピニオンウォールの上端と前記補修を行なう壁体の反ピニオンウォール側に位置する壁体の煙道の上端とに跨る架橋部材と、該架橋部材の一端に固定されて前記煙道の側面に当接する壁体側位置固定部材と、前記架橋部材の他端に固定されて前記ピニオンウォールの上部の側面に当接するピニオン側位置固定部材と、前記壁体側位置固定部材の下端に水平を保つように保持されて保護パネルを吊り下げる棒状のパネル垂下部材と、前記保護パネルの上端に取り付けられて前記パネル垂下部材に前記保護パネルとともに吊り下げられる逆Ｕ字形の掛け具と、前記保護パネルの下端に取り付けられるレ字形のフックと、を有することを特徴とする崩落事故防止装置。
【請求項３】
コークス炉の燃焼室の壁体と天井を補修する際に、前記補修を行なう壁体に隣接する燃焼室の壁体の破片による崩落事故を防止する崩落事故防止装置であって、前記補修を行なう壁体の反ピニオンウォール側とピニオンウォール側に位置する壁体の煙道の上端同士に跨る架橋部材と、該架橋部材の両端に固定されて前記煙道の側面にそれぞれ当接する壁体側位置固定部材と、該壁体側位置固定部材の下端に水平を保つように保持されて保護パネルを吊り下げる棒状のパネル垂下部材と、前記保護パネルの上端に取り付けられて前記パネル垂下部材に前記保護パネルとともに吊り下げられる逆Ｕ字形の掛け具と、前記保護パネルの下端に取り付けられるレ字形のフックと、を有することを特徴とする崩落事故防止装置。
【発明の詳細な説明】
【技術分野】
【０００１】
本発明は、コークス炉の燃焼室の壁体と天井を補修する際に、壁体やピニオンウォールの破片が落下して作業員にあたるのを防止する崩落防止装置に関するものである。
【背景技術】
【０００２】
図７はコークス炉の要部を模式的に示す水平断面図であり、図８は燃焼室壁体の例を模式的に示す斜視図である。
【０００３】
一般にコークス炉は、図７に示すように、石炭を乾留する炭化室２、燃料ガスを燃焼させる燃焼室１、燃焼排ガスの余熱を利用して燃料ガスや燃焼用空気を予め加熱する蓄熱室（図示せず）で構成され、燃焼室１と炭化室２は交互に配置される。つまり図８に示すように、互いに隣接する炭化室２を隔離する耐火煉瓦の壁体３の内部に燃焼室１が形成される。
【０００４】
そしてコークス炉の操業中に、炭化室２へ石炭を装入し、さらに燃焼室１で発生する燃焼熱によって乾留した後、得られたコークスを炭化室２から排出する作業が繰り返し行なわれる。その結果、耐火煉瓦で形成される壁体３が損耗し、燃焼室１から燃焼排ガスや未燃焼の燃料ガスが炭化室２内に漏出するという問題が生じる。
【０００５】
そこで、燃焼室１の壁体３を適宜補修しなければならないが、コークス炉の燃焼室１と炭化室２を全て停止して補修を行なうのはコークスの生産に支障を来たす。したがって、コークス炉を操業しながら、補修の対象となる燃焼室１のみ燃焼を停止して、補修を行なう。その補修工事の手順は、
(A)補修すべき燃焼室１の壁体３と天井を解体して炉外へ搬出し、
その後、
(B)新たに壁体３と天井を構築する
という２段階の工程に大別される。
【０００６】
そのいずれの工程においても、作業員が炉内で行なう作業がある。その作業中に周囲の壁体３の破片が落下すると、作業員が負傷するという重大な問題が発生する。また、コークス炉の外壁（いわゆるピニオンウォール）に隣接する燃焼室の壁体を補修する際には、ピニオンウォールの破片が落下する惧れもある。
【０００７】
そこで、壁体３やピニオンウォールの破片が落下して作業員にあたるのを防止する技術が検討されている。
【０００８】
たとえば特許文献１には、コークス炉の窯口を補修する際に使用する装置が開示されている。しかしその装置は、燃焼室の奥部の壁体の補修、あるいは押出機側から消火車側に至る壁体全面の補修には使用できない。
【先行技術文献】
【特許文献】
【０００９】
【特許文献１】特開2002-317182号公報
【発明の概要】
【発明が解決しようとする課題】
【００１０】
本発明は、従来の技術の問題点を解消し、コークス炉の燃焼室の壁体および天井を解体し、さらに新たな壁体を構築するために、炉内の窯口近辺のみならず奥部で作業する作業員に、壁体やピニオンウォールの破片が落下してあたるのを防止できる崩落事故防止装置を提供することを目的とする。以下では、壁体やピニオンウォールの破片が落下して作業員にあたることを崩落事故と記す。
【課題を解決するための手段】
【００１１】
本発明者は、燃焼室の壁体および天井を補修する工事においては、解体することによって天井が開放される点に着目した。つまり、開放された天井の開口部から崩落事故防止装置を炉内に吊り下げる構成にすれば、燃焼室の奥部の壁体の補修、あるいは、押出機側から消火車側に至る壁体全面の補修を行なう際に使用できる。
【００１２】
本発明は、このような知見に基づいてなされたものである。
すなわち本発明は、コークス炉のピニオンウォールに隣接する燃焼室の壁体と天井を補修する際に、ピニオンウォールの破片による崩落事故を防止する崩落事故防止装置であって、ピニオンウォールの上端と補修を行なう壁体の反ピニオンウォール側に位置する壁体の煙道の上端とに跨る架橋部材と、架橋部材の一端に固定されて煙道の側面に当接する壁体側位置固定部材と、架橋部材の他端に固定されてピニオンウォールの上部の側面に当接するピニオン側位置固定部材と、ピニオン側位置固定部材の下端に水平を保つように保持されて保護パネルを吊り下げる棒状のパネル垂下部材と、保護パネルの上端に取り付けられてパネル垂下部材に保護パネルとともに吊り下げられる逆Ｕ字形の掛け具と、保護パネルの下端に取り付けられるレ字形のフックと、を有する崩落事故防止装置である。
【００１３】
また本発明は、コークス炉のピニオンウォールに隣接する燃焼室の壁体と天井を補修する際に、補修を行なう壁体に隣接する燃焼室の壁体の破片による崩落事故を防止する崩落事故防止装置であって、ピニオンウォールの上端と補修を行なう壁体の反ピニオンウォール側に位置する壁体の煙道の上端とに跨る架橋部材と、架橋部材の一端に固定されて煙道の側面に当接する壁体側位置固定部材と、架橋部材の他端に固定されてピニオンウォールの上部の側面に当接するピニオン側位置固定部材と、壁体側位置固定部材の下端に水平を保つように保持されて保護パネルを吊り下げる棒状のパネル垂下部材と、保護パネルの上端に取り付けられてパネル垂下部材に保護パネルとともに吊り下げられる逆Ｕ字形の掛け具と、保護パネルの下端に取り付けられるレ字形のフックと、を有する崩落事故防止装置である。
【００１４】
さらに本発明は、コークス炉の燃焼室の壁体と天井を補修する際に、補修を行なう壁体に隣接する燃焼室の壁体の破片による崩落事故を防止する崩落事故防止装置であって、補修を行なう壁体の反ピニオンウォール側とピニオンウォール側に位置する壁体の煙道の上端同士に跨る架橋部材と、架橋部材の両端に固定されて煙道の側面にそれぞれ当接する壁体側位置固定部材と、壁体側位置固定部材の下端に水平を保つように保持されて保護パネルを吊り下げる棒状のパネル垂下部材と、保護パネルの上端に取り付けられてパネル垂下部材に保護パネルとともに吊り下げられる逆Ｕ字形の掛け具と、保護パネルの下端に取り付けられるレ字形のフックと、を有する崩落事故防止装置である。
【発明の効果】
【００１５】
本発明によれば、コークス炉の燃焼室の壁体および天井を解体し、さらに新たな壁体を構築するために、炉内の窯口近辺のみならず奥部で作業する作業員に、壁体やピニオンウォールの破片が落下してあたるのを防止できるので、産業上格段の効果を奏する。
【図面の簡単な説明】
【００１６】
【図１】本発明の崩落事故防止装置を用いて、ピニオンウォールの破片による崩落事故を防止する例を模式的に示す断面図である。
【図２】図１に示す崩落事故防止装置の側面図である。
【図３】本発明の崩落事故防止装置を用いて、燃焼室の壁体の破片による崩落事故を防止する例を模式的に示す断面図である。
【図４】本発明の崩落事故防止装置を用いて、燃焼室の壁体の破片による崩落事故を防止する他の例を模式的に示す断面図である。
【図５】パネル垂下部材に保護パネル上端の掛け具を吊り下げた例を拡大して示す断面図である。
【図６】保護パネル下端のフックに、その下段の保護パネル上端の掛け具を吊り下げた例を拡大して示す断面図である。
【図７】コークス炉の要部を模式的に示す水平断面図である。
【図８】図７の壁体の例を模式的に示す斜視図である。
【発明を実施するための形態】
【００１７】
図１は、本発明の崩落事故防止装置を用いてピニオンウォールの崩落を防止する例を模式的に示す断面図であり、図２は、その崩落防止装置の側面図である。図３、４は、本発明の崩落事故防止装置を用いて燃焼室の壁体の崩落を防止する例を模式的に示す断面図である。
【００１８】
まず、ピニオンウォールの破片による崩落事故を防止するための崩落事故防止装置について説明する。
図１は、ピニオンウォール４に隣接する壁体と天井を補修する際に、その壁体と天井を解体して炉外へ搬出（上記(A)の工程）して、ピニオンウォール４の破片による崩落事故を防止するために崩落事故防止装置を取り付けた状態を示す。したがって、解体された壁体は図１に示されていない。図１中の壁体３は、解体された壁体の反ピニオンウォール側に位置する壁体である。
【００１９】
補修すべき壁体の上部に位置する天井を解体して搬出することによって、補修すべき壁体の反ピニオンウォール側に位置する壁体３の煙道５の上端は露出する。また、ピニオンウォール４の上端も露出する。そこで、架橋部材６を、煙道５の上端とピニオンウォール４の上端とに跨るように取り付ける。
【００２０】
架橋部材６の一端（すなわち煙道５側の端部）には、煙道５の側面に当接する壁体側位置固定部材７が配設される。架橋部材６の他端（すなわちピニオンウォール４側の端部）には、ピニオンウォール４の上部の側面に当接するピニオン側位置固定部材８が配設される。これらの壁体側位置固定部材７とピニオン側位置固定部材８とによって、架橋部材６の位置の変動を防止することができ、かつ、後述する保護パネルを安定して吊り下げることが可能になる。
壁体側位置固定部材７とピニオン側位置固定部材８は基本的に同じ構成を有している。ここでは図５に示すピニオン側位置固定部材８の拡大図を参照して、その構成について説明する。
【００２１】
ピニオン側位置固定部材８は、平板部材8a、上部梁部材8b、中部梁部材8c、下部梁部材8dで構成される。平板部材8aは、上端が架橋部材６に固定され、側面がピニオンウォール４に当接する平板状の部材である。上部梁部材8bは、上端が架橋部材６に固定され、下端が水平保持部材10（図２参照）に固定される棒状の部材である。中部梁部材8cは、一端が水平保持部材10に固定され、他端が平板部材8aに固定される棒状の部材である。下部梁部材8dは、一端が水平保持部材10に固定され、他端が平板部材8aに固定されてＬ字形に屈曲した部材であり、平板部材8aとの結合部近傍の下側にパネル垂下部材９を保持するためのフランジ部材8eを備えている。
【００２２】
こうして架橋部材６、中部梁部材8c、下部梁部材8dの３種の部材で平板部材8aを所定の位置に保持することによって、平板部材8aの熱膨張に起因する変形（たとえば曲り、反り等）を防止することが可能となり、ひいてはピニオン側位置固定部材８の変形を防止できる。
【００２３】
図５に示す水平保持部材10は、ピニオンウォール４の側面全長にわたって延伸する棒状の部材（図２参照）であり、複数個のピニオン側位置固定部材８のフランジ部材8eを介してパネル垂下部材９を水平に保持し、かつ平板部材8aを１列に配置して保持する役割を担う部材である。
【００２４】
こうして水平に保持されるパネル垂下部材９に、保護パネル11を吊り下げる。保護パネル11の上端には逆Ｕ字形の掛け具12が取り付けられており、その掛け具12の湾曲部をパネル垂下部材９に掛ける（図５参照）ことによって、保護パネル11をパネル垂下部材９に吊り下げることができる。そのためには、パネル垂下部材９の断面形状は丸棒状が好ましく、崩落事故防止装置の軽量化を図るためには、内部が空洞の筒状であることが一層好ましい。
【００２５】
そして、補修すべき壁体を上部から下方へ解体して行くにつれて、パネル垂下部材９から吊り下げた保護パネル11に、さらに保護パネル11を吊り下げていく。保護パネル11の下端には、レ字型のフック13が取り付けられており、保護パネル11上端の掛け具12をそのフック13に掛ける（図６参照）ことによって、保護パネル11をフック13に吊り下げることができる。
【００２６】
このようにして保護パネル11を順次吊り下げていきながら、上記(A)の工程が終了した状態が図１、２である。ピニオンウォール４の側面は保護パネル11で覆われているので、作業中にピニオンウォール４の破片が剥離しても、ピニオンウォール４と保護パネル11との隙間を落下するのみである。したがって、保護パネル11と壁体３の間で作業する作業員に、ピニオンウォール４の破片があたるのを防止（すなわち崩落事故を防止）できる。
【００２７】
次いで、上記(B)の工程では、新たな壁体３をピニオンウォール４に隣接して下部から構築していくにつれて、保護パネル11を順次取り外していき、最終的に架橋部材６を撤去して、天井を構築する。このようにして上記(B)の工程においても、ピニオンウォール４の破片による崩落事故を防止できる。
【００２８】
なお、図５には棒状のパネル垂下部材９に掛け具12を掛ける例を示したが、図５中の下部梁部材8dにフック13（図６参照）を取り付けて、掛け具12をフック13に掛ける構成にしても良い。
【００２９】
次に、燃焼室の壁体の破片による崩落事故を防止する崩落事故防止装置について説明する。
図３に示す架橋部材６は、図１中の架橋部材と同じく、煙道５の上端とピニオンウォール４の上端とに跨るように取り付けられる。図３に示す壁体側位置固定部材７とピニオン側位置固定部材８も、それぞれ図１中の壁体側位置固定部材、ピニオン側位置固定部材と同じである。
【００３０】
壁体の破片による崩落事故を防止する場合は、図３に示すように、壁体側位置固定部材７の下部梁部材の屈曲部近傍の下側にフランジ部材を設ける。そして、そのフランジ部材を介して水平に保持されるパネル垂下部材９に保護パネル11を吊り下げ、さらにピニオンウォールに隣接する壁体を上部から解体するにつれて、順次、保護パネル11の下にさらなる保護パネル11を吊り下げていく。その手順は、図１と同じであるから説明を省略する。
【００３１】
また、ピニオンウォール４に隣接する燃焼室の壁体を補修する際に、図１に示す構成と図３に示す構成を併用することによって、ピニオンウォール４の崩落、および、補修を行なう壁体の反ピニオンウォール側に位置する壁体３の破片による崩落事故を防止できる。
【００３２】
以上、ピニオンウォール４に隣接する燃焼室の壁体を補修する際に使用する崩落事故防止装置について説明したが、燃焼室の壁体同士の間の壁体を補修する場合にも本発明の崩落事故防止装置を使用できる。その場合は、図４に示すように、架橋部材６の両端に壁体側位置固定部材７を配設する。そして、その壁体側位置固定部材７の両方のパネル垂下部材９に保護パネル11を吊り下げても良い（図４参照）し、あるいは、いずれか片方のパネル垂下部材９に保護パネル11を吊り下げても良い（図示せず）。
【００３３】
保護パネル11の材質は、特に限定しない。ただし、保護パネル11の基本的な特性として、
(a)高温の環境で作業を行なう作業員を保護するために、十分な断熱性を有すること、
(b)ピニオンウォール４の破片や燃焼室の壁体３の破片による崩落事故を防止するために、高温の環境においても十分な強度を有すること、
(c)架橋部材６の破断を防止するために、軽量であること
が求められる。これら(a)〜(c)の特性を満たす保護パネル11を使用する必要がある。単一の素材からなる保護パネル11を使用する場合は、その素材としては、たとえばブリキ鋼板（厚さ0.5mm程度）が好ましい。あるいは２種類の素材を組み合わせて使用する場合は、たとえばカオウール（イソライト工業株式会社製）等の断熱材を鋼板と金網で挟み込んだパネルにして使用することが好ましい。
【実施例】
【００３４】
＜実施例１＞
コークス炉（炉高６ｍ、炉長34フリュー）のピニオンウォールに隣接する燃焼室の壁体を補修するにあたって、図１に示す構成と図３に示す構成を併用した崩落事故防止装置を用いて、ピニオンウォールの崩落、および、補修を行なう壁体の反ピニオンウォール側に位置する壁体の破片による崩落事故を防止しながら、上記の(A)と(B)の工程の作業を行なった。作業員は、両側の保護パネルの間で作業した。その作業中に、ピニオンウォールや壁体の破片の落下は発生したが、崩落事故防止装置によって、その破片が作業員にあたるのを防止（すなわち崩落事故を防止）できた。
【００３５】
＜実施例２＞
コークス炉（炉高６ｍ、炉長34フリュー）の燃焼室の壁体同士の間の壁体を補修するに当たって、図４に示す崩落事故防止装置を用いて、補修を行なう壁体の反ピニオンウォール側に位置する壁体、および、ピニオンウォール側に位置する壁体の崩落を防止しながら、上記の(A)と(B)の工程の作業を行なった。作業員は、両側の保護パネルの間で作業した。その作業中に、両側の壁体の破片の落下は発生したが、崩落事故防止装置によって、その破片が作業員にあたるのを防止（すなわち崩落事故を防止）できた。
【符号の説明】
【００３６】
１  燃焼室
２  炭化室
３  壁体
４  ピニオンウォール
５  煙道
６  架橋部材
７  壁体側位置固定部材
８  ピニオン側位置固定部材
8a  平板部材
8b  上部梁部材
8c  中部梁部材
8d  下部梁部材
8e  フランジ部材
９  パネル垂下部材
10  水平保持部材
11  保護パネル
12  掛け具
13  フック
【図１】
2018131473.tif 000003
【図２】
2018131473.tif 000004
【図３】
2018131473.tif 000005
【図４】
2018131473.tif 000006
【図５】
2018131473.tif 000007
【図６】
2018131473.tif 000008
【図７】
2018131473.tif 000009
【図８】
2018131473.tif 000010